【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
情報記録媒体において、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記アプリケーション・ソフト領域には、前記情報記録媒体の真贋を判定するための真贋判定プログラムが予め記録されており、
前記真贋判定プログラムは、コンピュータに、
前記第１の領域内の前記予め指定したセクタアドレスを、前記第１の領域における前記第１のセクタアドレスを有するセクタ側から前記第２のセクタアドレスを有するセクタ側へとサーチさせて、前記予め指定したセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタアドレスを、前記第２の領域における前記第２のセクタアドレスを有するセクタ側から前記第１のセクタアドレスを有するセクタ側へとサーチさせて、前記予め指定したセクタアドレスを有するセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体。
【請求項２】
情報記録媒体において、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記アプリケーション・ソフト領域には、前記情報記録媒体の真贋を判定するための真贋判定プログラムが予め記録されており、
前記真贋判定プログラムは、コンピュータに、
前記第１の領域内の前記予め指定した第２のセクタアドレスを、前記第１の領域における前記第１のセクタアドレスを有するセクタ側から前記第２のセクタアドレスを有するセクタ側へとサーチさせて、前記第２のセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタを、前記第２の領域における前記第３の領域側に位置する終端のセクタ側から前記第１の領域側に位置する始端のセクタ側へとサーチさせて、前記予め指定したセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体。
【請求項３】
前記真贋判定プログラムは、前記複数のセクタの内でどのセクタアドレスが重複しているかを示す情報を有し、前記情報に基づいて前記第１，第２，第３のステップを実行させることを特徴とする請求項１または２に記載の情報記録媒体。
【請求項４】
前記第２の領域のいずれかのセクタのセクタデータがエラー訂正不能データとなっていることを特徴とする請求項１ないし３のいずれかに記載の情報記録媒体。
【請求項５】
前記第２の領域における前記第１の領域側に位置する先頭のセクタのセクタデータが前記エラー訂正不能データとなっていることを特徴とする請求項４記載の情報記録媒体。
【請求項６】
情報記録媒体のセクタ読取り方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記セクタ読取り方法は、
前記第１の領域内の前記予め指定したセクタアドレスを、前記第１の領域における前記第１のセクタアドレスを有するセクタ側から前記第２のセクタアドレスを有するセクタ側へとサーチする第１のステップと、
前記第１のステップにてサーチした前記予め指定したセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタアドレスを、前記第２の領域における前記第２のセクタアドレスを有するセクタ側から前記第１のセクタアドレスを有するセクタ側へとサーチする第４のステップと、
前記第４のステップにてサーチした前記予め指定したセクタアドレスを有するセクタのセクタデータを取得する第５のステップとを含むことを特徴とする情報記録媒体のセクタ読取り方法。
【請求項７】
情報記録媒体のセクタ読取り方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記セクタ読取り方法は、
前記第１の領域内の前記予め指定した第２のセクタアドレスを、前記第１の領域における前記第１のセクタアドレスを有するセクタ側から前記第２のセクタアドレスを有するセクタ側へとサーチする第１のステップと、
前記第１のステップにてサーチした前記第２のセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタを、前記第２の領域における前記第３の領域側に位置する終端のセクタ側から前記第１の領域側に位置する始端のセクタ側へとサーチする第４のステップと、
前記第４のステップにてサーチした前記第２のセクタアドレスを有するセクタのセクタデータを取得する第５のステップとを含むことを特徴とする情報記録媒体のセクタ読取り方法。
【請求項８】
前記アプリケーション・ソフト領域には、前記複数のセクタの内でどのセクタアドレスが重複しているかを示す情報が記録されており、
前記第１，第３，第４のステップは、前記情報に基づいて行われることを特徴とする請求項６または７に記載の情報記録媒体のセクタ読取り方法。
【請求項９】
情報記録媒体の真贋判定方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記真贋判定方法は、
前記第１の領域内の前記予め指定したセクタアドレスを、前記第１の領域における前記第１のセクタアドレスを有するセクタ側から前記第２のセクタアドレスを有するセクタ側へとサーチする第１のステップと、
前記第１のステップにてサーチした前記予め指定したセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタアドレスを、前記第２の領域における前記第２のセクタアドレスを有するセクタ側から前記第１のセクタアドレスを有するセクタ側へとサーチする第４のステップと、
前記第４のステップにてサーチした前記予め指定したセクタアドレスを有するセクタのセクタデータを取得する第５のステップと、
前記第２のステップにて取得したセクタデータと前記第５のステップにて取得したセクタデータとを比較して、比較の結果に基づいて前記情報記録媒体の真贋を判定する第６のステップとを含むことを特徴とする情報記録媒体の真贋判定方法。
【請求項１０】
情報記録媒体の真贋判定方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記真贋判定方法は、
前記第１の領域内の前記予め指定した第２のセクタアドレスを、前記第１の領域における前記第１のセクタアドレスを有するセクタ側から前記第２のセクタアドレスを有するセクタ側へとサーチする第１のステップと、
前記第１のステップにてサーチした前記第２のセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタを、前記第２の領域における前記第３の領域側に位置する終端のセクタ側から前記第１の領域側に位置する始端のセクタ側へとサーチする第４のステップと、
前記第４のステップにてサーチした前記予め指定したセクタのセクタデータを取得する第５のステップと、
前記第２のステップにて取得したセクタデータと前記第５のステップにて取得したセクタデータとを比較して、比較の結果に基づいて前記情報記録媒体の真贋を判定する第６のステップとを含むことを特徴とする情報記録媒体の真贋判定方法。
【請求項１１】
前記アプリケーション・ソフト領域には、前記複数のセクタの内でどのセクタアドレスが重複しているかを示す情報が記録されており、
前記第１，第３，第４のステップは、前記情報に基づいて行われることを特徴とする請求項９または１０に記載の情報記録媒体の真贋判定方法。
【請求項１２】
情報記録媒体の真贋判定プログラムであり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記真贋判定プログラムは、コンピュータに、
前記第１の領域内の前記予め指定したセクタアドレスを、前記第１の領域における前記第１のセクタアドレスを有するセクタ側から前記第２のセクタアドレスを有するセクタ側へとサーチさせて、前記予め指定したセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタアドレスを、前記第２の領域における前記第２のセクタアドレスを有するセクタ側から前記第１のセクタアドレスを有するセクタ側へとサーチさせて、前記予め指定したセクタアドレスを有するセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体の真贋判定プログラム。
【請求項１３】
情報記録媒体の真贋判定プログラムであり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記真贋判定プログラムは、コンピュータに、
前記第１の領域内の前記予め指定した第２のセクタアドレスを、前記第１の領域における前記第１のセクタアドレスを有するセクタ側から前記第２のセクタアドレスを有するセクタ側へとサーチさせて、前記第２のセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタを、前記第２の領域における前記第３の領域側に位置する終端のセクタ側から前記第１の領域側に位置する始端のセクタ側へとサーチさせて、前記予め指定したセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体の真贋判定プログラム。
【請求項１４】
前記真贋判定プログラムは、前記複数のセクタの内でどのセクタアドレスが重複しているかを示す情報を有し、前記情報に基づいて前記第１，第２，第３のステップを実行させることを特徴とする請求項１２または１３に記載の情報記録媒体の真贋判定プログラム。
【手続補正２】
【補正対象書類名】明細書
【補正対象項目名】発明の名称
【補正方法】変更
【補正の内容】
【発明の名称】情報記録媒体、情報記録媒体のセクタ読取り方法、情報記録媒体の真贋判定方法、情報記録媒体の真贋判定プログラム
【手続補正３】
【補正対象書類名】明細書
【補正対象項目名】０００１
【補正方法】変更
【補正の内容】
【０００１】
本発明は、違法コピーを防止できる情報記録媒体、情報記録媒体のセクタ読取り方法、情報記録媒体の真贋判定方法、情報記録媒体の真贋判定プログラムに関するものである。
【手続補正４】
【補正対象書類名】明細書
【補正対象項目名】００４３
【補正方法】変更
【補正の内容】
【００４３】
本発明は上記課題に鑑みてなされたものであり、請求項１に記載の発明は、情報記録媒体において、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記アプリケーション・ソフト領域には、前記情報記録媒体の真贋を判定するための真贋判定プログラムが予め記録されており、
前記真贋判定プログラムは、コンピュータに、
前記第１の領域内の前記予め指定したセクタアドレスを、前記第１の領域における前記第１のセクタアドレスを有するセクタ側から前記第２のセクタアドレスを有するセクタ側へとサーチさせて、前記予め指定したセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタアドレスを、前記第２の領域における前記第２のセクタアドレスを有するセクタ側から前記第１のセクタアドレスを有するセクタ側へとサーチさせて、前記予め指定したセクタアドレスを有するセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体である。
また、請求項２に記載の発明は、情報記録媒体において、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記アプリケーション・ソフト領域には、前記情報記録媒体の真贋を判定するための真贋判定プログラムが予め記録されており、
前記真贋判定プログラムは、コンピュータに、
前記第１の領域内の前記予め指定した第２のセクタアドレスを、前記第１の領域における前記第１のセクタアドレスを有するセクタ側から前記第２のセクタアドレスを有するセクタ側へとサーチさせて、前記第２のセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタを、前記第２の領域における前記第３の領域側に位置する終端のセクタ側から前記第１の領域側に位置する始端のセクタ側へとサーチさせて、前記予め指定したセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体である。
また、請求項３に記載の発明は、請求項１または２に記載の情報記録媒体において、
前記真贋判定プログラムは、前記複数のセクタの内でどのセクタアドレスが重複しているかを示す情報を有し、前記情報に基づいて前記第１，第２，第３のステップを実行させることを特徴とする情報記録媒体である。
また、請求項４に記載の発明は、請求項１ないし３のいずれかに記載の情報記録媒体において、
前記第２の領域のいずれかのセクタのセクタデータがエラー訂正不能データとなっていることを特徴とする情報記録媒体である。
また、請求項５に記載の発明は、請求項４記載の情報記録媒体において、
前記第２の領域における前記第１の領域側に位置する先頭のセクタのセクタデータが前記エラー訂正不能データとなっていることを特徴とする情報記録媒体である。
【手続補正５】
【補正対象書類名】明細書
【補正対象項目名】００４４
【補正方法】変更
【補正の内容】
【００４４】
また、請求項６に記載の発明は、情報記録媒体のセクタ読取り方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記セクタ読取り方法は、
前記第１の領域内の前記予め指定したセクタアドレスを、前記第１の領域における前記第１のセクタアドレスを有するセクタ側から前記第２のセクタアドレスを有するセクタ側へとサーチする第１のステップと、
前記第１のステップにてサーチした前記予め指定したセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタアドレスを、前記第２の領域における前記第２のセクタアドレスを有するセクタ側から前記第１のセクタアドレスを有するセクタ側へとサーチする第４のステップと、
前記第４のステップにてサーチした前記予め指定したセクタアドレスを有するセクタのセクタデータを取得する第５のステップとを含むことを特徴とする情報記録媒体のセクタ読取り方法である。
また、請求項７に記載の発明は、情報記録媒体のセクタ読取り方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記セクタ読取り方法は、
前記第１の領域内の前記予め指定した第２のセクタアドレスを、前記第１の領域における前記第１のセクタアドレスを有するセクタ側から前記第２のセクタアドレスを有するセクタ側へとサーチする第１のステップと、
前記第１のステップにてサーチした前記第２のセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタを、前記第２の領域における前記第３の領域側に位置する終端のセクタ側から前記第１の領域側に位置する始端のセクタ側へとサーチする第４のステップと、
前記第４のステップにてサーチした前記第２のセクタアドレスを有するセクタのセクタデータを取得する第５のステップとを含むことを特徴とする情報記録媒体のセクタ読取り方法である。
また、請求項８に記載の発明は、請求項６または７に記載の情報記録媒体のセクタ読取り方法において、
前記アプリケーション・ソフト領域には、前記複数のセクタの内でどのセクタアドレスが重複しているかを示す情報が記録されており、
前記第１，第３，第４のステップは、前記情報に基づいて行われることを特徴とする情報記録媒体のセクタ読取り方法である。
【手続補正６】
【補正対象書類名】明細書
【補正対象項目名】００４５
【補正方法】変更
【補正の内容】
【００４５】
また、請求項９に記載の発明は、情報記録媒体の真贋判定方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記真贋判定方法は、
前記第１の領域内の前記予め指定したセクタアドレスを、前記第１の領域における前記第１のセクタアドレスを有するセクタ側から前記第２のセクタアドレスを有するセクタ側へとサーチする第１のステップと、
前記第１のステップにてサーチした前記予め指定したセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタアドレスを、前記第２の領域における前記第２のセクタアドレスを有するセクタ側から前記第１のセクタアドレスを有するセクタ側へとサーチする第４のステップと、
前記第４のステップにてサーチした前記予め指定したセクタアドレスを有するセクタのセクタデータを取得する第５のステップと、
前記第２のステップにて取得したセクタデータと前記第５のステップにて取得したセクタデータとを比較して、比較の結果に基づいて前記情報記録媒体の真贋を判定する第６のステップとを含むことを特徴とする情報記録媒体の真贋判定方法である。
また、請求項１０に記載の発明は、情報記録媒体の真贋判定方法であり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記真贋判定方法は、
前記第１の領域内の前記予め指定した第２のセクタアドレスを、前記第１の領域における前記第１のセクタアドレスを有するセクタ側から前記第２のセクタアドレスを有するセクタ側へとサーチする第１のステップと、
前記第１のステップにてサーチした前記第２のセクタアドレスを有するセクタのセクタデータを取得する第２のステップと、
前記第３の領域内の所定のセクタアドレスをサーチした後に前記第２の領域内に向かう第３のステップと、
前記第２の領域内の前記予め指定したセクタを、前記第２の領域における前記第３の領域側に位置する終端のセクタ側から前記第１の領域側に位置する始端のセクタ側へとサーチする第４のステップと、
前記第４のステップにてサーチした前記予め指定したセクタのセクタデータを取得する第５のステップと、
前記第２のステップにて取得したセクタデータと前記第５のステップにて取得したセクタデータとを比較して、比較の結果に基づいて前記情報記録媒体の真贋を判定する第６のステップとを含むことを特徴とする情報記録媒体の真贋判定方法である。
また、請求項１１に記載の発明は、請求項９または１０に記載の情報記録媒体の真贋判定方法において、
前記アプリケーション・ソフト領域には、前記複数のセクタの内でどのセクタアドレスが重複しているかを示す情報が記録されており、
前記第１，第３，第４のステップは、前記情報に基づいて行われることを特徴とする情報記録媒体の真贋判定方法である。
【手続補正７】
【補正対象書類名】明細書
【補正対象項目名】００４６
【補正方法】変更
【補正の内容】
【００４６】
また、請求項１２に記載の発明は、情報記録媒体の真贋判定プログラムであり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、セクタアドレスが前記第１のセクタアドレスから前記第２のセクタアドレスへ向かって順次増加する前記第１の領域と同じセクタアドレスを有する第２の領域と、前記第２のセクタアドレスより大きい第３のセクタアドレスからセクタアドレスが順次増加する第３の領域とを有し、更に、前記第１の領域内の予め指定したセクタアドレスを有するセクタと前記第２の領域内の前記予め指定したセクタアドレスを有するセクタとは互いに異なるセクタデータを有し、
前記真贋判定プログラムは、コンピュータに、
前記第１の領域内の前記予め指定したセクタアドレスを、前記第１の領域における前記第１のセクタアドレスを有するセクタ側から前記第２のセクタアドレスを有するセクタ側へとサーチさせて、前記予め指定したセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタアドレスを、前記第２の領域における前記第２のセクタアドレスを有するセクタ側から前記第１のセクタアドレスを有するセクタ側へとサーチさせて、前記予め指定したセクタアドレスを有するセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体の真贋判定プログラムである。
また、請求項１３に記載の発明は、情報記録媒体の真贋判定プログラムであり、
前記情報記録媒体は、
少なくともユーザー・データ領域と、
アプリケーション・ソフト領域とを有し、
前記ユーザー・データ領域にはセクタアドレスとセクタデータとがセクタ単位で複数のセクタに亘って記録されており、
前記複数のセクタは、セクタアドレスが第１のセクタアドレスから第２のセクタアドレスへ向かって順次増加する第１の領域と、前記第２のセクタアドレスが少なくとも２つ連続したセクタアドレスを有する第２の領域と、前記第２のセクタアドレスより大きい第３のセクタアドレスからセクタアドレスが順次増加する第３の領域とを有し、更に、前記第１の領域内の予め指定した前記第２のセクタアドレスを有するセクタと前記第２の領域内の予め指定したセクタとは互いに異なるセクタデータを有し、
前記真贋判定プログラムは、コンピュータに、
前記第１の領域内の前記予め指定した第２のセクタアドレスを、前記第１の領域における前記第１のセクタアドレスを有するセクタ側から前記第２のセクタアドレスを有するセクタ側へとサーチさせて、前記第２のセクタアドレスを有するセクタのセクタデータを取得させる第１のステップと、
前記第３の領域内の所定のセクタアドレスをサーチさせた後に前記第２の領域内に向かわせる第２のステップと、
前記第２の領域内の前記予め指定したセクタを、前記第２の領域における前記第３の領域側に位置する終端のセクタ側から前記第１の領域側に位置する始端のセクタ側へとサーチさせて、前記予め指定したセクタのセクタデータを取得させる第３のステップと、
前記第１のステップにて取得したセクタデータと前記第３のステップにて取得したセクタデータとを比較して、比較の結果に基づいて前記情報記録媒体の真贋を判定する第４のステップとを実行させることを特徴とする情報記録媒体の真贋判定プログラムである。
また、請求項１４に記載の発明は、請求項１２または１３に記載の情報記録媒体の真贋判定プログラムにおいて、
前記真贋判定プログラムは、前記複数のセクタの内でどのセクタアドレスが重複しているかを示す情報を有し、前記情報に基づいて前記第１，第２，第３のステップを実行させることを特徴とする情報記録媒体の真贋判定プログラムである。
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】変更
【補正の内容】
【００４８】
請求項１〜５のいずれかに記載の情報記録媒体によれば、情報記録媒体のアプリケーション・ソフト領域に、情報記録媒体の真贋を判定するための真贋判定プログラムが予め記録されており、且つ、この真贋判定プログラムは、セクタアドレスが第１のセクタアドレスから第２のセクタアドレスへ向かって順次増加する第１の領域と、第１の領域に対して同じセクタアドレスを有する第２の領域と、第２のセクタアドレスより大きい第３のセクタアドレスからセクタアドレスが順次増加する第３の領域と有する情報記録媒体に対して、コンピュータの実行により、各領域への読取り手順を設定し、且つ、第１の領域内の予め指定したセクタアドレスを有するセクタと第２の領域内の前記予め指定したセクタアドレスを有するセクタ（または、第２の領域内の予め指定したセクタ）とに対応した各セクタデータとを比較することで、情報記録媒体が本物であるか、偽物であるかを判定できる。更に、第２の領域のいずれかのセクタのセクタデータをエラー訂正不能データとしておけば、このセクタと対応したセクタデータの読取りを防ぐことができる。
【手続補正１０】
【補正対象書類名】明細書
【補正対象項目名】００４９
【補正方法】変更
【補正の内容】
【００４９】
請求項６〜８のいずれかに記載の情報記録媒体のセクタ読取り方法によれば、セクタアドレスが第１のセクタアドレスから第２のセクタアドレスへ向かって順次増加する第１の領域と、第１の領域に対して同じセクタアドレスを有する第２の領域と、第２のセクタアドレスより大きい第３のセクタアドレスからセクタアドレスが順次増加する第３の領域とを有する情報記録媒体に対して、各領域への読取り手順を設定しているので、情報記録媒体への違法コピーを防止でき、著作権侵害を未然に防止することができる。
【手続補正１１】
【補正対象書類名】明細書
【補正対象項目名】００５０
【補正方法】変更
【補正の内容】
【００５０】
また、請求項９〜１１に記載の情報記録媒体の真贋判定方法によれば、セクタアドレスが第１のセクタアドレスから第２のセクタアドレスへ向かって順次増加する第１の領域と、第１の領域に対して同じセクタアドレスを有する第２の領域と、第２のセクタアドレスより大きい第３のセクタアドレスからセクタアドレスが順次増加する第３の領域と有する情報記録媒体に対して、各領域への読取り手順を設定し、且つ、第１の領域内の予め指定したセクタアドレスを有するセクタと第２の領域内の前記予め指定したセクタアドレスを有するセクタ（または、第２の領域内の予め指定したセクタ）とに対応した各セクタデータとを比較することで、情報記録媒体が本物であるか、偽物であるかを判定できる。
また、請求項１２〜１４に記載の情報記録媒体の真贋判定プログラムによれば、セクタアドレスが第１のセクタアドレスから第２のセクタアドレスへ向かって順次増加する第１の領域と、第１の領域に対して同じセクタアドレスを有する第２の領域と、第２のセクタアドレスより大きい第３のセクタアドレスからセクタアドレスが順次増加する第３の領域と有する情報記録媒体に対して、コンピュータの実行により、各領域への読取り手順を設定し、且つ、第１の領域内の予め指定したセクタアドレスを有するセクタと第２の領域内の前記予め指定したセクタアドレスを有するセクタ（または、第２の領域内の予め指定したセクタ）との各セクタデータとを比較することで、情報記録媒体が本物であるか、偽物であるかを判定できる。
【手続補正１２】
【補正対象書類名】明細書
【補正対象項目名】００５１
【補正方法】変更
【補正の内容】
【００５１】
以下に本発明に係る情報記録媒体、情報記録媒体のセクタ読取り方法、情報記録媒体の真贋判定方法、情報記録媒体の真贋判定プログラムの一実施例を図４乃至図１３を参照して＜実施例１＞，＜実施例２＞，＜実施例１，２の応用例＞の順に詳細に説明する。